(57)【要約】【課題】ＡＬＣパネルの許容荷重以上の水平荷重が作用したときに建物躯体からＡＬＣパネルが円滑に離脱して建物に与える損傷を低減するＡＬＣパネルの取付構造を提供すること。【解決手段】パネル下端の幅方向中央位置の１カ所にその短辺小口面からパネル内部に向けて設けられた有底孔１８に対し下側躯体２２から立設された１つの棒材２６が遊挿されるとともにパネル上端の幅方向の２カ所にその短辺小口面からパネル内部に向けて設けられた２つの有底孔２０に対し上側躯体２４から立設された２つの棒材３４がそれぞれ遊挿されることによりＡＬＣパネル１０は建物の上下躯体２２，２４間に取り付けられており、パネル下端における下側躯体２２の棒材２６のせん断引抜強度がパネル上端における上側躯体２４の２つの棒材３４のせん断引抜強度以下の強度であって、パネル面外荷重に対してパネル上端よりも先にパネル下端がせん断破壊してパネル下端から外れる。【選択図】図３
2016020618.tif 000002
【特許請求の範囲】
【請求項１】
ＡＬＣパネルが建物の上下躯体間に取り付けられてなるＡＬＣパネルの取付構造であって、
パネル下端の幅方向中央位置の１カ所にその短辺小口面からパネル内部に向けて設けられた有底孔に対し下側躯体から立設された１つの棒材が遊挿されるとともにパネル上端の幅方向の２カ所にその短辺小口面からパネル内部に向けて設けられた２つの有底孔に対し上側躯体から立設された２つの棒材がそれぞれ遊挿されることによりＡＬＣパネルは建物の上下躯体間に取り付けられており、パネル下端における下側躯体の棒材のせん断引抜強度がパネル上端における上側躯体の２つの棒材のせん断引抜強度以下の強度であって、パネル面外荷重に対してパネル上端よりも先にパネル下端がせん断破壊してパネル下端から外れることを特徴とするＡＬＣパネルの取付構造。
【請求項２】
ＡＬＣパネルに埋設された補強筋のうちパネル下端の短辺小口面から最も近い位置にある副筋に対するパネル下端の有底孔に遊挿された下側躯体の棒材の掛かり代が１５０ｍｍ以下であることを特徴とする請求項１に記載のＡＬＣパネルの取付構造。
【請求項３】
棒材を挿通する挿通域を備えたアンカー金具がＡＬＣパネルに埋設された補強筋のうちパネル下端の短辺小口面から最も近い位置にある２本の副筋に幅方向中央位置で跨って溶接固定され、パネル下端の有底孔に遊挿された下側躯体の棒材がこのアンカー金具の挿通域にも遊挿されていることを特徴とする請求項１または２に記載のＡＬＣパネルの取付構造。
【請求項４】
アンカー金具が、井桁状金具あるいは貫通孔を備えた板状金具であることを特徴とする請求項３に記載のＡＬＣパネルの取付構造。
【発明の詳細な説明】
【技術分野】
【０００１】
本発明は、建物の外壁として用いられるＡＬＣパネルの取付構造に関し、さらに詳しくは、津波避難ビルなどの建物の外壁として好適に用いられるＡＬＣパネルの取付構造に関するものである。
【背景技術】
【０００２】
建物の外壁は一般に耐力壁で構成される。耐力壁は建物の荷重を負担するとともに地震力や風圧力などの水平荷重にも十分耐えられる設計となっている。また、津波避難ビルでは、建物の外壁が津波波圧（水平荷重）に対しても耐えられる設計となっている。これらの場合には、当然ながら建物の外壁は構造躯体から容易に外れない必要がある。また、一般的な建物の外壁に使用されるＡＬＣパネルは帳壁として取り扱われる。この場合、ＡＬＣパネルは設計荷重（地震力や風圧力などの水平荷重）に対して十分耐えられる強度設計となっている。
【先行技術文献】
【特許文献】
【０００３】
【特許文献１】特開平１０−７２８７２号公報
【特許文献２】特開２００７−９６５９号公報
【発明の概要】
【発明が解決しようとする課題】
【０００４】
しかしながら、外壁が構造躯体から容易に外れないと、外壁が建物に残った状態で外壁とともに建物が津波波圧（水平荷重）を直に受けるため、建物の転倒を引き起こす場合もある。これにより、建物に与える損傷は甚大となる。
【０００５】
特許文献１〜２では、ＡＬＣパネルを支えるための部材としてボルトを用い、これをＡＬＣパネル内に埋設されたアンカー金具に螺合している。この構成では、ＡＬＣパネルの許容荷重以上の水平荷重が作用し、アンカー金具が埋設されているところのパネル母材が破壊されても、パネル内部の補強筋に接合されたアンカー金具が建物躯体に固定されたボルトと接続されたままとなり、ＡＬＣパネルが建物躯体から離脱せずに残る。そうすると、ＡＬＣパネルの許容荷重以上の水平荷重が作用したときにも、ＡＬＣパネルとともに建物がその荷重をもろに受ける。これにより、建物に与える損傷は甚大となるおそれがある。
【０００６】
本発明が解決しようとする課題は、ＡＬＣパネルの許容荷重以上の水平荷重が作用したときに建物躯体からＡＬＣパネルが円滑に離脱して建物が受ける荷重を低減するＡＬＣパネルの取付構造を提供することにある。
【課題を解決するための手段】
【０００７】
上記課題を解決するため本発明に係るＡＬＣパネルの取付構造は、ＡＬＣパネルが建物の上下躯体間に取り付けられてなるＡＬＣパネルの取付構造であって、パネル下端の幅方向中央位置の１カ所にその短辺小口面からパネル内部に向けて設けられた有底孔に対し下側躯体から立設された１つの棒材が遊挿されるとともにパネル上端の幅方向の２カ所にその短辺小口面からパネル内部に向けて設けられた２つの有底孔に対し上側躯体から立設された２つの棒材がそれぞれ遊挿されることによりＡＬＣパネルは建物の上下躯体間に取り付けられており、パネル下端における下側躯体の棒材のせん断引抜強度がパネル上端における上側躯体の２つの棒材のせん断引抜強度以下の強度であって、パネル面外荷重に対してパネル上端よりも先にパネル下端がせん断破壊してパネル下端から外れることを要旨とするものである。
【０００８】
この場合、ＡＬＣパネルに埋設された補強筋のうちパネル下端の短辺小口面から最も近い位置にある副筋に対するパネル下端の有底孔に遊挿された下側躯体の棒材の掛かり代が１５０ｍｍ以下であることが望ましい。
【０００９】
そして、棒材を挿通する挿通域を備えたアンカー金具がＡＬＣパネルに埋設された補強筋のうちパネル下端の短辺小口面から最も近い位置にある２本の副筋に幅方向中央位置で跨って溶接固定され、パネル下端の有底孔に遊挿された下側躯体の棒材がこのアンカー金具の挿通域にも遊挿されていることが好ましい。この場合、アンカー金具は井桁状金具あるいは貫通孔を備えた板状金具であることが好ましい。
【発明の効果】
【００１０】
本発明に係るＡＬＣパネルの取付構造によれば、パネル下端およびパネル上端はその短辺小口面からパネル内部に向けて設けられた有底孔に対し躯体から立設された棒材が遊挿されているだけであるため、ＡＬＣパネルの許容荷重以上の水平荷重が作用し、棒材が遊挿されているところのパネル母材が破壊されたときには、ＡＬＣパネルの端部と躯体の結合が切れる。そして、パネル下端における下側躯体の棒材のせん断引抜強度がパネル上端における上側躯体の２つの棒材のせん断引抜強度以下の強度であって、パネル面外荷重に対してパネル上端よりも先にパネル下端がせん断破壊してパネル下端から外れるため、ＡＬＣパネルの自重によりパネル上端も続けて躯体から外れる。これにより、ＡＬＣパネルは建物躯体から円滑に離脱することができる。したがって、ＡＬＣパネルの許容荷重以上の水平荷重が作用したときには、建物躯体からＡＬＣパネルが円滑に離脱して建物に与える損傷を低減することができる。
【００１１】
この場合、ＡＬＣパネルに埋設された補強筋のうちパネル下端の短辺小口面から最も近い位置にある副筋に対するパネル下端の有底孔に遊挿された下側躯体の棒材の掛かり代が１５０ｍｍ以下であると、ＡＬＣパネルの許容荷重以上の水平荷重が作用し、棒材が遊挿されているところのパネル母材が破壊されたときに、ＡＬＣパネルが建物躯体から離脱しやすくする。
【００１２】
そして、棒材を挿通する挿通域を備えたアンカー金具がＡＬＣパネルに埋設された補強筋のうちパネル下端の短辺小口面から最も近い位置にある２本の副筋に幅方向中央位置で跨って溶接固定され、パネル下端の有底孔に遊挿された下側躯体の棒材がこのアンカー金具の挿通域にも遊挿されていると、帳壁としての取付強度を十分に確保することができる。
【図面の簡単な説明】
【００１３】
【図１】ＡＬＣパネルの一例を示した透視斜視図である。
【図２】ＡＬＣパネルの一例であり、所定の位置に有底孔を形成した状態を示した正面図である。
【図３】アンカー金具を用いていないＡＬＣパネルの取付構造の一例の正面図（ａ）および側面図（ｂ）である。
【図４】井桁状金具の一例を示した斜視図である。
【図５】井桁状金具をアンカー金具として用いたＡＬＣパネルの取付構造の透視分解斜視図である。
【図６】貫通孔を備えた板状金具の一例を示した斜視図である。
【図７】せん断引抜強度の試験概要図である。
【図８】棒材の抜けやすさを測定する試験概要図である。
【発明を実施するための形態】
【００１４】
次に、本発明の実施形態について図面を用いて詳細に説明する。
【００１５】
図１は、ＡＬＣパネルの一例を示した透視斜視図である。パネルの輪郭を点線で示し、パネル内部の補強筋を実線で示している。図１に示すように、ＡＬＣパネル１０は、軽量気泡コンクリートを板状に成形したものからなる。ＡＬＣパネル１０の内部には、パネル全体にわたって補強筋が埋設されている。補強筋は、ＡＬＣパネル１０の長さ方向に沿って配置された主筋１２と、ＡＬＣパネル１０の幅方向に沿って配置された副筋１４と、からなる。複数本の主筋１２と複数本の副筋１４とが組み合わされて格子状の補強筋マットが形成され、ＡＬＣパネル１０の厚み方向に所定の間隔で平行に並べられた２枚の補強筋マットが連結金具１６を介して結合されてカゴ状に成形されている。
【００１６】
図２は、ＡＬＣパネルの一例であり、所定の位置に有底孔を形成した状態を示した正面図である。図２に示すように、ＡＬＣパネル１０において、パネル下端の幅方向中央位置の１カ所には、その短辺小口面からパネル内部に向けて有底孔１８が設けられている。有底孔１８は、パネル下端の短辺小口面から最も近い位置にある副筋１４ａよりもパネル内部まで延びている。有底孔１８は、断面円形状の円形孔であり、パネル下端側の孔径がパネル内部側の孔径よりもやや大きく形成されている。パネル上端の幅方向の２カ所には、その短辺小口面からパネル内部に向けて２つの有底孔２０が設けられている。２つの有底孔２０は、それぞれパネル上端の短辺小口面から最も近い位置にある副筋１４ｂよりもパネル内部まで延びている。２つの有底孔２０は、それぞれ断面円形状の円形孔であり、パネル上端側の孔径がパネル内部側の孔径よりもやや大きく形成されている。
【００１７】
図３は、アンカー金具を用いていないＡＬＣパネルの取付構造の一例の正面図（ａ）および側面図（ｂ）である。図３に示すように、ＡＬＣパネル１０は、建物の上下躯体２２，２４間に取り付けられる。下側躯体２２には、１つの棒材２６が立設されている。棒材２６は断面円形状の円柱体または円筒体であり、棒材２６の基端には板状の台座２８が一体となっており、棒材２６は板状の台座２８の面から面に直交する方向に延びている。棒材２６および台座２８はともに金属製で溶接等によって接合されている。下側躯体２２には金属製の埋め込みプレート３０が埋設されており、この埋め込みプレート３０に固定されたフラットバー３２に棒材２６と一体になっている台座２８の裏面が溶接等によって固定されている。棒材２６の外径はパネル下端の有底孔１８のパネル下端側の孔径およびパネル内部側の孔径よりも小さく、棒材２６の長さはパネル下端の有底孔１８の長さよりも短くなっている。そして、パネル下端の有底孔１８に対し下側躯体２２から立設された１つの棒材２６が遊挿されることにより、パネル下端は下側躯体２２に取り付けられる。ＡＬＣパネル１０は、パネル下端の短辺小口で、棒材２６と一体になっている板状の台座２８の面上に載置される。したがって、ＡＬＣパネル１０のパネル下端の短辺小口と下側躯体２２（のフラットバー３２）の間には、棒材２６と一体になっている板状の台座２８の厚みの分だけ、隙間Ｓ１が設けられる。
【００１８】
上側躯体２４には、２つの棒材３４が立設されている。２つの棒材はそれぞれ断面円形状の円柱体または円筒体であり、棒材３４の基端には板状の台座３６が一体となっており、棒材３４は板状の台座３６の面から面に直交する方向に延びている。棒材３４および台座３６はともに金属製で溶接等によって接合されている。上側躯体２４には金属製の埋め込みプレート３８が埋設されており、この埋め込みプレート３８に固定されたフラットバー４０に棒材３４と一体になっている台座３６の裏面が溶接等によって固定されている。棒材３４の外径はパネル上端の有底孔２０のパネル上端側の孔径およびパネル内部側の孔径よりも小さく、棒材３４の長さはパネル上端の有底孔２０の長さよりも短くなっている。そして、パネル上端の２つの有底孔２０に対し上側躯体２４から立設された２つの棒材３４がそれぞれ遊挿されることにより、パネル上端は上側躯体２４に取り付けられる。ＡＬＣパネル１０のパネル上端の短辺小口と上側躯体２４（のフラットバー４０）の間には、パネル建て込み作業における作業代（しろ）や、台座３６のフラットバー４０などへの溶接等による固定作業における作業代（しろ）などを考慮して、棒材３４と一体になっている板状の台座３６の厚みよりも大きい隙間Ｓ２を設ける。
【００１９】
ＡＬＣパネルの内部には、アンカー金具を埋設してもよい。アンカー金具は、棒材を挿通する挿通域を備えたものである。このようなアンカー金具としては、井桁状金具、貫通孔を備えた板状金具などが挙げられる。図４には、井桁状金具の一例を示す。図５は、井桁状金具をアンカー金具として用いたＡＬＣパネルの取付構造の透視分解斜視図である。また、図６には、貫通孔を備えた板状金具の一例を示す。
【００２０】
図４に示すように、井桁状金具４２は、４本の金属製の軸片４２ａ，４２ｂ，４２ｃ，４２ｄが井桁状に組まれたものからなる。４本の軸片４２ａ，４２ｂ，４２ｃ，４２ｄは、他の軸片と重なり接触する部分で溶接などにより互いに接合されている。井桁状金具４２は、平行に並べられた２本の軸片４２ａ，４２ｂが２本の副筋１４に跨いでその端部でそれぞれ副筋１４に溶接などにより接合されて固定される。副筋１４に固定される２本の軸片４２ａ，４２ｂはパネル厚み方向に配向し、副筋１４に固定されない２本の軸片４２ｃ，４２ｄはパネル幅方向に配向する。
【００２１】
図５に示すように、井桁状金具４２は、パネル下端では、ＡＬＣパネル１０に埋設された補強筋のうちパネル下端の短辺小口面から最も近い位置にある２本の副筋１４ａにパネル幅方向中央位置で跨って溶接固定される。パネル上端では、ＡＬＣパネル１０に埋設された補強筋のうちパネル上端の短辺小口面から最も近い位置にある２本の副筋１４ｂに幅方向の所定位置で跨って溶接固定される。井桁状金具４２の４本の軸片４２ａ，４２ｂ，４２ｃ，４２ｄにより囲まれる部分が棒材２６，３４を挿通する挿通域４２ｅであり、挿通域４２ｅの面内における最短距離は棒材２６，３４の外径よりも大きくされている。井桁状金具４２の挿通域４２ｅは、ＡＬＣパネル１０の有底孔１８，２０の位置に合わせて配置される。パネル下端の有底孔１８に遊挿された下側躯体２２の棒材２６は、この井桁状金具４２の挿通域４２ｅにも遊挿される。また、パネル上端の有底孔２０に遊挿された上側躯体２４の棒材３４は、この井桁状金具４２の挿通域４２ｅにも遊挿される。
【００２２】
図６に示すように、貫通孔を備えた板状金具４４は、２本の副筋１４を跨ぐ幅を有し、２本の副筋１４に跨いでそれぞれ副筋１４に溶接などにより接合されて固定される。貫通孔を備えた板状金具４４は、パネル下端では、ＡＬＣパネル１０に埋設された補強筋のうちパネル下端の短辺小口面から最も近い位置にある２本の副筋１４ａにパネル幅方向中央位置で跨って溶接固定される。パネル上端では、ＡＬＣパネル１０に埋設された補強筋のうちパネル上端の短辺小口面から最も近い位置にある２本の副筋１４ｂに幅方向の所定位置で跨って溶接固定される。貫通孔を備えた板状金具４４は、図５に示す井桁状金具４２が配置される位置に配置される。貫通孔が棒材２６，３４を挿通する挿通域４４ａであり、挿通域４４ａの面内における最短距離は棒材２６，３４の外径よりも大きくされている。貫通孔を備えた板状金具４４の挿通域４４ａは、ＡＬＣパネル１０の有底孔１８，２０の位置に合わせて配置される。パネル下端の有底孔１８に遊挿された下側躯体２２の棒材２６は、この貫通孔を備えた板状金具４４の挿通域４４ａにも遊挿される。また、パネル上端の有底孔２０に遊挿された上側躯体２４の棒材３４は、この貫通孔を備えた板状金具４４の挿通域４４ａにも遊挿される。
【００２３】
パネル下端の取付強度は、パネル母材と１つの棒材２６の当接による耐力であり、パネル下端における下側躯体２２の棒材２６のせん断引抜強度である。一方、パネル上端の取付強度は、パネル母材と２つの棒材３４の当接による耐力であり、パネル上端における上側躯体２４の２つの棒材３４のせん断引抜強度である。アンカー金具を埋設している部分では、棒材２６，３４を挿通する挿通域４２ｅ，４４ａの内周縁と棒材２６，３４の当接による耐力が加味される。本発明においては、パネル下端における下側躯体２２の棒材２６のせん断引抜強度がパネル上端における上側躯体２４の２つの棒材３４のせん断引抜強度以下の強度となるように設計し、さらに、パネル面外荷重に対してパネル上端よりも先にパネル下端がせん断破壊してパネル下端から外れるように設計する。
【００２４】
パネル下端における下側躯体２２の棒材２６のせん断引抜強度がパネル上端における上側躯体２４の２つの棒材３４のせん断引抜強度以下の強度となるためには、パネル上端を支持する棒材３４の数を、パネル下端を支持する棒材２６の数以上にするほか、棒材２６，３４の太さ、副筋１４へのかかり代、材質などの調整、アンカー金具の選択などを行うとよい。また、パネル面外荷重に対してパネル上端よりも先にパネル下端がせん断破壊するためには、パネル上端を支持する棒材３４の数を、パネル下端を支持する棒材２６の数以上にするほか、棒材２６，３４の太さ、副筋１４へのかかり代、材質などの調整、アンカー金具の選択などを行うとよい。また、パネル下端から外れるようにするには、棒材２６，３４の太さ、副筋１４へのかかり代などの調整を行うとよい。
【００２５】
このようなＡＬＣパネルの取付構造によれば、パネル下端およびパネル上端はその短辺小口面からパネル内部に向けて設けられた有底孔１８，２０に対し躯体２２，２４から立設された棒材２６，３４が遊挿されているだけであるため、ＡＬＣパネル１０の許容荷重以上の水平荷重が作用し、棒材２６，３４が遊挿されているところのパネル母材が破壊されたときには、ＡＬＣパネル１０の端部と躯体２２，２４の結合が切れる。そして、パネル下端における下側躯体２２の棒材２６のせん断引抜強度がパネル上端における上側躯体２４の２つの棒材３４のせん断引抜強度以下の強度であって、パネル面外荷重に対してパネル上端よりも先にパネル下端がせん断破壊してパネル下端から外れるため、ＡＬＣパネル１０の自重によりパネル上端も続けて躯体２４から外れる。これにより、ＡＬＣパネル１０は建物躯体２２，２４から円滑に離脱することができる。したがって、ＡＬＣパネル１０の許容荷重以上の水平荷重が作用したときには、建物躯体２２，２４からＡＬＣパネル１０が円滑に離脱して建物に与える損傷を低減することができる。
【００２６】
そして、パネル下端は、パネル幅方向中央位置の１カ所で棒材２６により支持され、この棒材２６の台座２８によってパネル下端の短辺小口と下側躯体２２（のフラットバー３２）の間にその厚みの分だけ隙間Ｓ１が設けられ、パネル上端の短辺小口と上側躯体２４（のフラットバー４０）の間に棒材３４と一体になっている板状の台座３６の厚みよりも大きい隙間Ｓ２を設け、さらに、各棒材２６，３４が各有底孔１８，２０に遊挿されているので、地震などで建物躯体が層間変形したときに、パネル幅方向中央位置を中心としてパネル幅方向の両側が上下するようなロッキングをすることができる。このため、この取付構造によるＡＬＣパネルは建物躯体の層間変形に対して優れた追従性能を発揮する。また、パネル下端の短辺小口と下側躯体２２（のフラットバー３２）の間の隙間Ｓ１やパネル上端の短辺小口と上側躯体２４（のフラットバー４０）の間の隙間Ｓ２によりパネル角部と建物躯体とが接触してパネル角部にカケや割れが生じるのを抑える。さらに、パネル上端が２つの棒材３４で支持されているため、パネル幅方向中央位置を中心軸としてＡＬＣパネル１０が回転（どんでん返し）するおそれもない。
【００２７】
ＡＬＣパネル１０の許容荷重（水平荷重）は、ＡＬＣパネル１０を一般の帳壁として設計する場合に作用する地震力と風圧力に相当する。一般の帳壁として設計する場合に作用する地震力と風圧力に十分耐えられるようにするためには、上記のアンカー金具を用いてもよい。
【００２８】
パネル下端における下側躯体２２の棒材２６のせん断引抜強度は、パネル上端における上側躯体２４の２つの棒材３４のせん断引抜強度以下の強度であればよいが、一般の帳壁として要求される設計荷重においては、パネル上端に対してパネル下端のせん断引抜強度は３０〜１００％の範囲とすることが好ましい。
【００２９】
ＡＬＣパネル１０に埋設された補強筋のうちパネル下端の短辺小口面から最も近い位置にある副筋１４ａに対するパネル下端の有底孔１８に遊挿された下側躯体２２の棒材２６の掛かり代は１５０ｍｍ以下であることが好ましい。ＡＬＣパネル１０の許容荷重以上の水平荷重が作用し、棒材２６が遊挿されているところのパネル母材が破壊されたときに、ＡＬＣパネル１０が建物躯体２２から離脱しやすくする。また、その掛かり代は１０ｍｍ以上であることが好ましい。一般の帳壁として設計する場合に作用する地震力と風圧力に十分耐えられる。
【００３０】
また、パネル面外荷重に対してパネル上端よりも先にパネル下端がせん断破壊してパネル下端から外れるためには、パネル下端における棒材２６の副筋１４ａへの掛かり代がパネル上端における棒材３４の副筋１４ｂへの掛かり代よりも小さいことが好ましい。この観点から、パネル下端における棒材２６の副筋１４ａへの掛かり代は１０〜４０ｍｍであり、パネル上端における棒材３４の副筋１４ｂへの掛かり代は２０〜６０ｍｍであることが好ましい。
【００３１】
そして、棒材２６，３４の外径は、６〜１２ｍｍの範囲であることが好ましい。棒材２６，３４がパネル内部の補強筋やパネル母材あるいはアンカー金具に引っかかりにくくし、ＡＬＣパネル１０が建物躯体から離脱しやすくする。
【００３２】
ＡＬＣパネル１０の寸法は、特に限定されるものではないが、通常、幅３００〜６００ｍｍ、長さ１５００〜４０００ｍｍ、厚さ７５〜１５０ｍｍの範囲に設定される。ＡＬＣパネル１０に埋設される補強筋は、ＡＬＣパネル１０の各短辺小口からのかぶりが通常、５〜４０ｍｍの範囲に設定される。下側躯体２２で使用される棒材２６の台座２８の形状は、特に限定されるものではないが、ＡＬＣパネル１０の自重を負担しやすいなどから、面の形状を四角形とすればよい。建物躯体２２，２４に固定されるフラットバー３２，４０の幅が通常６５〜７５ｍｍであることから、この台座２８の長辺の長さは３０〜６０ｍｍであることが好ましい。この台座２８は、ＡＬＣパネル１０の自重を負担するのに十分な強度となる大きさで、ＡＬＣパネル１０のロッキングを阻害しない程度の隙間Ｓ１を生じさせる厚みのものとすればよい。上側躯体２４で使用される棒材３４の台座３６は、溶接等で接合しやすいなどの理由で、円盤状または小判状にするとよい。この台座３６の大きさは、外部から見えにくくするなどの理由で、ＡＬＣパネル１０の厚さを超えない大きさであることが好ましい。具体的には、直径３０〜６０ｍｍであることが好ましい。アンカー金具の厚さは、特に限定されるものではないが、０．８〜４ｍｍ程度であればよい。
【実施例】
【００３３】
＜試験体１＞
図５に示すように、カゴ状補強筋の幅方向中央位置で長さ方向一端の２本の副筋に跨って図４に示す井桁状金具を溶接固定し、カゴ状補強筋の幅方向所定位置で長さ方向他端の２本の副筋に跨って２つの井桁状金具を溶接固定したＡＬＣパネルを得た。パネル上端（２カ所）およびパネル下端（１カ所）において、短辺小口面から井桁状係止具の挿通域と連通する連通孔を挿通域よりもさらに奥まで穿設形成した。
ＡＬＣパネルの寸法：幅６００ｍｍ、長さ２４９０ｍｍ、厚さ１００ｍｍ
連通孔の寸法：入口側３０ｍｍ、奥側１５．５ｍｍ
＜試験体２＞
図４に示す井桁状金具に代えて図６に示す貫通孔を備えた板状金具を用いた以外は試験体１と同じ構成である。
＜試験体３＞
図４に示す井桁状金具を用いなかった以外は試験体１と同じ構成である。
＜井桁状金具の構成＞
長さ７０ｍｍ、直径３．２ｍｍの鋼棒２本と長さ３０ｍｍ、直径：２．６ｍｍの鋼棒２本を用い、１６ｍｍ×１６ｍｍの挿通域が形成されるように井桁状に組み付けて溶接した。
＜貫通孔を備えた板状金具の構成＞
幅５０ｍｍ、長さ１００ｍｍ、厚さ１．６ｍｍの平板を用いた。
貫通孔：幅１３．５ｍｍ、長さ１７ｍｍ
＜棒材の構成＞
長さ１３５ｍｍ、外径１５．０ｍｍ鋼棒を用いた。
【００３４】
＜せん断引抜強度の測定＞
図７に示すように、試験体５１を試験用鉄骨架台５２上に水平に配置し、試験体５１の短辺小口面から３００ｍｍの位置でパネル壁面を挟持して、試験体５１を試験用鉄骨架台５２に固定した。次いで、試験体５１の短辺小口の連通孔に１本または２本の棒材を挿入し、油圧ジャッキ５３を用いて棒材の端部を上方に変位させた。このときの最大荷重を棒材の引抜せん断強度とした。なお、２本の棒材を挿入する場合には、２本の棒材の端部を連結板で連結して上方に変位させた。その結果を表１に示す。
【００３５】
【表１】
2016020618.tif 000003
【００３６】
そして、表１のせん断引抜強度の測定結果をもとに、パネル下端とパネル上端の支持形態の組み合わせとその強度比の算出結果を表２に示す。
【００３７】
【表２】
2016020618.tif 000004
【００３８】
表２に示すように、所定の支持形態の組み合わせにおいて、その強度比が３０〜１００％の範囲となった。
【００３９】
＜試験体４＞
幅方向中央位置でカゴ状補強筋の長さ方向一端の２本の副筋に跨って井桁状金具を溶接固定するとともに、幅方向中央位置でカゴ状補強筋の長さ方向他端の２本の副筋に跨って井桁状金具を溶接固定したＡＬＣパネルを得た。パネル上端（１カ所）およびパネル下端（１カ所）において、短辺小口面から井桁状係止具の挿通域と連通する連通孔を挿通域よりもさらに奥まで穿設形成した。
ＡＬＣパネルの寸法：幅６００ｍｍ、長さ２０００ｍｍ、厚さ１００ｍｍ
連通孔の寸法：入口側３０ｍｍ、奥側１５．５ｍｍ
＜井桁状金具の構成＞
長さ７０ｍｍ、直径３．２ｍｍの鋼棒２本と長さ３０ｍｍ、直径：２．６ｍｍの鋼棒２本を用い、１６ｍｍ×１６ｍｍの挿通域が形成されるように井桁状に組み付けて溶接した。
【００４０】
＜棒材の抜けやすさ＞
図８に示すように、試験体５４を鉄骨架台５５の間に水平に配置し、試験体５４の短辺小口面から棒材を挿入した状態で鉄骨架台５５に棒材を溶接固定した。次いで、試験体５４の上方から４等分２線の一方向にて載荷をして、試験体５４の支持部分の破壊時における棒材の抜けやすさを確認した。試験に際し、棒材として外径６ｍｍ、１２ｍｍ、１５ｍｍの３種類のものを用い、端部の副筋への掛かり代を１０ｍｍ、６０ｍｍ、１１０ｍｍ、１５０ｍｍとした。この際、支持部分が小さく欠けて試験体５４から棒材が外れた場合を最良「◎」、支持部分が大きく破壊したが試験体５４から棒材が外れた場合を良「○」、支持部分が破壊したときには試験体５４から棒材は外れなかったが、さらに荷重を加えると外れた場合をやや良「△」、試験体５４から棒材が外れなかった場合を不良「×」とした。この結果を表３に示す。
【００４１】
【表３】
2016020618.tif 000005
【００４２】
表３から、掛かり代１１０ｍｍまでは棒材の外径の大きさにかかわらず棒材の抜けやすさは良好であった。掛かり代１５０ｍｍでは、棒材の外径が６ｍｍのときに棒材が抜けることを確認した。
【００４３】
以上、本発明の実施の形態について詳細に説明したが、本発明は上記実施の形態に何ら限定されるものではなく、本発明の要旨を逸脱しない範囲で種々の改変が可能である。
【００４４】
例えば上記実施形態においては、上側躯体２４に立設される２つの棒材３４をそれぞれ断面円形状の円柱体または円筒体であるとして説明しているが、これは上側躯体２４に立設される２つの棒材３４の形状の一例であり、パネル下端に続けてパネル上端が上側躯体２４から外れるような遊挿状態であれば、２つの棒材３４は他の形状であってもよい。そして、２つの棒材３４が例えば基端から先端の方向に向かって漸次細くなる先細り部分を少なくともその先端に有すると、パネル自重によりパネル上端位置が下がったときに２つの棒材３４がパネル上端の有底孔２０から外れやすくなる利点がある。この場合、その漸次細くなる先細り部分が２つの棒材３４の先端のみにあってその漸次細くなる先細り部分よりも基端側が外径の等しい等径部分であると、建物躯体２２，２４に対してＡＬＣパネル１０が正常に取り付けられているときに有底孔２０に対し２つの棒材３４がしっかり掛かるため、一般の帳壁として設計する場合に作用する地震力と風圧力に十分耐えられるものにしやすい。このとき、等径部分はパネル上端短辺小口面から最も近い位置にある副筋あるいはこれに固定されたアンカー金具の挿通域よりもパネル内部にまで延び、先細り部分が副筋あるいはこれに固定されたアンカー金具の挿通域よりもパネル内部に配置されるとよい。
【符号の説明】
【００４５】
１０  ＡＬＣパネル
１２  主筋
１４  副筋
１８，２０  有底孔
２２，２４  躯体
２６，３４  棒材
【図１】
2016020618.tif 000006
【図２】
2016020618.tif 000007
【図３】
2016020618.tif 000008
【図４】
2016020618.tif 000009
【図５】
2016020618.tif 000010
【図６】
2016020618.tif 000011
【図７】
2016020618.tif 000012
【図８】
2016020618.tif 000013